(57)【要約】【課題】  公共施設などで、スリッパを履く際に使用可能な、衛生的で、しかも着脱が容易なインナーソックスを提供する。【解決手段】  活性炭、銀、亜鉛、ヒノキチオールから選ばれる少なくとも１種を含浸してなる、紙または不織布を用いて、底部４と、足の甲と踵を覆う部分２を一体に形成し、履き口３となる開口部の周縁に、例えばゴムからなる伸縮可能な線材３を装着して、インナーソックスを構成する。伸縮可能な線材３が伸びた状態の前記開口部の面積を、前記底部の面積の４０〜７０％にすることで、使用の際の着脱を容易にすることができる。【選択図】図１
2015119934.tif 000002
【特許請求の範囲】
【請求項１】
活性炭、銀、亜鉛、ヒノキチオールから選ばれる少なくとも１種を含浸してなる、紙または不織布からなり、底部と、足の甲と踵を覆う部分が一体に形成され、履き口となる開口部の周縁に伸縮可能な線材が装着されてなることを特徴とする抗菌インナーソックスまたは抗菌ソックスカバー。
【請求項２】
前記伸縮可能な線材が伸びた状態の前記開口部の面積が、前記底部の面積の４０〜７０％であることを特徴とする、請求項１に記載の抗菌インナーソックスまたは抗菌ソックスカバー。
【発明の詳細な説明】
【技術分野】
【０００１】  本発明は、スリッパを履く際に、スリッパ内部に足が直接触れないように履くインナーソックスカバー、または室内において、靴下の汚れ防止を目的として履くことが可能なインナーソックスカバーに関し、特に脱臭抗菌などの対策を施したものに関する。
【背景技術】
【０００２】  病院などの医療機関、ホテルなどの宿泊施設、学校などの公共機関においては、室内用の履物として、スリッパが用いられている。この多くは、足に接する側がウレタン系や塩化ビニル系の材料のシートで構成されている。【０００３】  このため、発汗の多い夏季には、表面がベトつき、利用者にとっては快適なものではないばかりか、足白癬のような感染症の媒介となり、衛生上の問題となる可能性がある。これに対処するために、紙や不織布で構成された、使い捨てのインナースリッパや中敷きが用いられている。【０００４】  例えば特許文献１には、吸水性の高い紙で構成され、踵乗せ部と爪先部とが連続的に形成され、爪先部の左右に足の甲の上に折り重ねることが可能な部分が設けられたインナースリッパが開示されている。これは一枚の紙からなるため、構造が比較的単純で、製造コストを低く抑えることができるという利点がある。【０００５】  反面、簡単な構造であるため、使用に際しては、爪先の折り重ね部を、既存のスリッパにおける甲を覆う部分の内部に、予め装着しておく必要があり、装着した後に外れることがある。また、紙や不織布を靴の中敷きと同じ形状に構成し、スリッパの足裏が当接する面に、接着する形式のものもがあるが、この場合は、足の甲の部分や爪先が、スリッパに直接触れることになり、前記の衛生上の問題には、必ずしも十分には対処できない。
【先行技術文献】
【特許文献】
【０００６】
【特許文献１】  特開平９−７５１０９号公報
【発明の概要】
【発明が解決しようとする課題】
【０００７】  従って、本発明の課題は、公共施設などで、スリッパを履く際に使用可能な、衛生的で、しかも着脱が容易な、インナーソックスカバーを提供することにある。
【課題を解決するための手段】
【０００８】  本発明は、前記の課題に鑑み、インナーソックスカバーを構成する材料と、履き口部の構造を再検討した結果なされたものである。【０００９】  即ち、本発明は、活性炭、銀、亜鉛、ヒノキチオールから選ばれる少なくとも１種を含浸してなる、紙または不織布からなり、底部と、足の甲と踵を覆う部分が一体に形成され、履き口となる開口部の周縁に伸縮可能な線材が装着されてなることを特徴とする、抗菌インナーソックスまたは抗菌ソックスカバーであり、当該伸縮可能な線材が伸びた状態の前記開口部の面積を、前記底部の面積の４０〜７０％にしたものである。
【発明の効果】
【００１０】  前記特許文献１に開示されているインナースリッパは、左右の爪先部を折り重ねることで、履き口を形成するため、形状が不安定となり、簡単に装着できないという問題につながる。また、最初から履き口を形成したインナースリッパであっても、足の甲を覆う部分を紙や不織布のみで構成すると、その柔軟さのために、収納した状態などでは、足の甲を覆う部分が底部の方に重なって接触した状態となり、インナースリッパを履く際には、履き口を手で拡げる必要がある他、脱げ易いという問題がある。【００１１】  本発明に係るインナーソックスカバーは、紙又は不織布で足の甲、踵の部分を覆うように構成されているので、足がスリッパの内部に直接触れることがないので、前記のような不快感を解消できる。そして、履き口に周縁に芯材として弾性を有する線材、具体的にはゴム紐などが装着されているので、特許文献１に開示されているインナースリッパのように、容易に脱げることがない。【００１２】  また、本発明のインナーソックスカバーにおいて、履き口に装着した線材が伸びた状態で、履き口の面積が、底部の面積の４０〜７０％となるようにしたのは、着脱の容易性を確保するとともに、通常の使用状態で予期しない脱離が、起こらないようにするためであり、この数値は経験的に設定したものである。【００１３】  また、本発明に係るインナーソックスカバーに用いる紙や不織布を、そのまま用いてインナーソックスカバーを製作しても、前記の衛生上の問題は解消できる。しかし、紙や不織布に、活性炭のような脱臭効果を有する物質や、銀、亜鉛、ヒノキチオールのような抗菌作用を有する物質を混合したり、含浸したりすることで、感染症の予防効果や履き心地を向上できる。【００１４】  ヒノキチオール（Ｈｉｎｏｋｉｔｉｏｌ）は、ヒバなどの植物に含まれる不飽和七員環化合物で、ＩＵＰＡＣ命名法では、２−ヒドロキシ−４−イソプロピルシクロヘプタ−２，４，６−トリエン−１−オンである。これは、抗菌活性を発現することが知られ、医療品など用いられている。これは水には殆ど溶けないが、アルコールには可溶なのでアルコール溶液に、インナーソックスカバーの材料となる紙や不織布を浸漬した後、アルコールを除くことで、インナーソックスカバーに抗菌作用を付与することができる。【００１５】  また、銀や亜鉛は、その機構が十分に解明されていないが、抗菌作用を有することが知られていて、粉末の状態や、それらのイオンを他の物質に担持させた状態で、本発明のインナーソックスカバーに用いることができる。【００１６】  そして、本発明のインナーソックスカバーの特長として、用途においては、下記のような事項がある
（１）公共施設において、スリッパの中や靴下の上に履くことで、清潔性が確保できる。
（２）家屋の中で、引っ越し作業、警察の搜査などを行う際に、使用することで、室内を汚損したり、逆に足が汚れたりするのを防止できる。
（３）室内における、足白癬などの感染を防止するために、靴下の代替として使用する。【００１７】  また、機能的な特長として、下記のような事項が挙げられる。
（１）脱げ難い。
（２）使い捨てなので洗濯の手間が不要である。
（３）スリッパのように底の厚みがないので、転倒し難い。
（４）軽量で皺にならず、折り畳んで、ハンドバッグなどで携帯が可能である。
【図面の簡単な説明】
【００１８】
【図１】  本発明に係るインナーソックスカバーの一例を示す斜視図。
【図２】  本発明のインナーソックスカバーを製作するために裁断した材料の形状の一例を示す図。
【図３】  本発明のインナーソックスカバーを制作するための工程で、材料を折り曲げた状態を示す図。
【図４】  本発明のインナーソックスカバーを製作するための工程で、材料を接合した状態を示す図。
【発明を実施するための形態】
【００１９】  次に、本発明の実施の形態について説明する。図１は、本発明に係るインナーソックスの一例を示す斜視図である。図１において、１は足の甲と踵を覆う部分、２は履き口の周縁に装着された伸縮可能な線材、３は履き口、４は底部である。
【００２０】  本発明においては、足の甲と踵を覆う部分１と、底部４を構成する材料に紙や不織布を用いるが、紙であれば抄紙工程で紙繊維を水に分散させる際に、活性炭など、脱臭作用、抗菌作用を有する物質を加えることで、これらの物質を含むものを製造できる。また不織布は、紙と同様に、分散媒に短繊維を分散させる湿式法で製造することが可能なので、紙の場合と同様に、脱臭作用、抗菌作用を有する者が得られる。
【００２１】  そして、伸縮可能な線材２にはゴム紐などを用いることができる。また、この例においては、底部４の面積は、約１８０ｃｍ２で、伸縮可能な線材２を伸ばした状態の履き口３の面積は約９０ｃｍ２、つまり後者は前者の５０％である。
【００２２】  次に、本発明に係るインナーソックスの製作工程の一例について説明する。図２は、本発明のインナーソックスカバーを製作するために裁断した、紙または不織布の形状の一例を示す図である。図２において、５はインナーソックスカバーにおける、足の甲を覆う部分、６は底及び踵を覆う部分、７ａ、７ｂ、７ｃは折り曲げる部分である。
【００２３】  図３は、図２に示した、紙又は不織布を折り曲げた状態を示す図である。図３において、８ａ、８ｂ、８ｃはゴム紐を通すために筒形状を構成する部分である。本工程では、図に示したように、筒形状を構成する部分８ａ、８ｂ、８ｃを形成した後、甲を覆う部分５を図における上の方向に折り曲げ、隣接する筒形状を構成する部分８ａ、８ｂ、８ｃの両端を相互に接合する。
【００２４】  図４は、図２のように加工した後、所要の箇所を、縫合や接着などの方法により、接合した状態を示す図である。筒形状を構成する部分８ａ、８ｂ、８ｃをそれぞれ挿通するようにゴム紐を通し、開口部が、適切な広さの履き口３となるように、ゴム紐の長さを調整し、ゴム紐の両端を接続することにより、図１に示した、本発明に係るインナーソックスカバーができあがる。
【００２５】  以上に説明したように、本発明によれば、衛生的で、しかも着脱が容易である、使い捨てのインナーソックスを提供することが可能となる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２６】１…足の甲と踵を覆う部分    ２…伸縮可能な線材    ３…履き口
４…底部    ５…足の甲を覆う部分    ６…底及び足の踵を覆う部分
７ａ，７ｂ，７ｃ…折り曲げる部分
８ａ，８ｂ，８ｃ…筒形状を構成する部分
【図１】
2015119934.tif 000003
【図２】
2015119934.tif 000004
【図３】
2015119934.tif 000005
【図４】
2015119934.tif 000006